(57)【特許請求の範囲】
【請求項１】
資産データベースを備え、対象となるユーザの資産管理を行う資産管理サーバであって、
前記ユーザが入力を行ったユーザ端末から、前記ユーザによる商品購入の手続き時に入力を受け付けた商品の購入情報を取得して、当該購入した商品を前記ユーザの資産として資産データベースに登録する購入商品登録手段と、
前記購入商品登録手段によって登録された商品を、所定のサーバに登録し、インターネットを通じて他人に売却可能な状態におく商品出品手段と、
前記商品出品手段によって登録された商品について、前記所定のサーバから売却通知を受信し、当該商品を資産データベースから削除する売却商品削除手段と、
を備える資産管理サーバ。
【請求項２】
前記購入商品登録手段によって登録された日付と、登録された前記商品の商品情報とから、前記ユーザの当該商品に対する売却推奨度を算出する売却推奨度算出手段と、
前記売却推奨度算出手段によって算出された売却推奨度が所定の値を超えている商品について、売却を推奨する旨の表示を行う売却推奨手段と、
を備える請求項１に記載の資産管理サーバ。
【請求項３】
前記売却推奨度算出手段は、前記登録された商品の購入からの年数を参照し、減価償却が終わったか否かに基づいて、当該商品に対する売却推奨度を算出する請求項２に記載の資産管理サーバ。
【請求項４】
前記ユーザが二以上であって、
前記購入商品登録手段によって異なるユーザの資産として登録されている商品について、前記ユーザの購入推奨度を算出する購入推奨度算出手段と、
前記購入推奨度算出手段によって算出された購入推奨度が所定の値を超えている商品について、前記ユーザと当該他のユーザに対して、取引を提案する旨の表示を行う取引提案手段と、
を備える請求項１乃至３のいずれか一項に記載の資産管理サーバ。
【請求項５】
資産データベースを備え、対象となるユーザの資産管理を行う資産管理サーバが行う資産管理方法であって、
前記ユーザが入力を行ったユーザ端末から、前記ユーザによる商品購入の手続き時に入力を受け付けた商品の購入情報を取得して、当該購入した商品を前記ユーザの資産として資産データベースに登録するステップと、
前記資産データベースに登録された商品を、所定のサーバに登録し、インターネットを通じて他人に売却可能な状態におくステップと、
前記所定のサーバに登録された商品について、前記所定のサーバから売却通知を受信し、当該商品を資産データベースから削除するステップと、
を備える資産管理方法。
【請求項６】
資産データベースを備え、対象となるユーザの資産管理を行う資産管理サーバに、
前記ユーザが入力を行ったユーザ端末から、前記ユーザによる商品購入の手続き時に入力を受け付けた商品の購入情報を取得して、当該購入した商品を前記ユーザの資産として資産データベースに登録するステップ、
前記資産データベースに登録された商品を、所定のサーバに登録し、インターネットを通じて他人に売却可能な状態におくステップ、
前記所定のサーバに登録された商品について、前記所定のサーバから売却通知を受信し、当該商品を資産データベースから削除するステップ、
を実行させるための資産管理サーバ用プログラム。
【発明の詳細な説明】
【技術分野】
【０００１】
本発明は、電子商取引に関するユーザの資産管理をインターネット上で行う資産管理サーバ、資産管理方法、及び、資産管理サーバ用プログラムに関する。
【背景技術】
【０００２】
今日、インターネットを介した電子商取引は市場規模の拡大を続けており、利用者数は増加の一途を辿るとともに、電化製品や食品といった日用品までもがその取引の対象になっている。さらには、企業の運営する電子商取引サイトにおける商品の購入のみならず、インターネットオークション等を利用した個人同士の売買も、盛んに行われている。
【０００３】
ところで、電子商取引においては、売買の情報は電子的なデータとして取り扱えるため、統計的な処理を加えることが容易である。そのため、電子商取引サイトの多くは、顧客の取引履歴に基づいた推薦アルゴリズムを利用することで、顧客の購入意欲を刺激し、売上の向上を図っている。
【０００４】
例えば、購入履歴を参照することで、商品の検索を行った時点で有効な推薦を行うことができ、商品の販売を促進するためのネットショッピング管理方法が明らかにされている（特許文献１）。
【先行技術文献】
【特許文献】
【０００５】
【特許文献１】特開２０１０−２７２０１５号公報
【発明の概要】
【発明が解決しようとする課題】
【０００６】
しかしながら、顧客の取引履歴の蓄積が電子商取引サイトの推薦精度の向上に寄与し、競争優位性として機能するという性質から、取引履歴は多くの場合において電子商取引サイトの利益追求のために使われていたため、電子商取引サイトの益には繋がらない類の顧客の利益が、蔑ろにされがちであるという事情があった。
【０００７】
そこで本発明の発明者は、売買の取引履歴をインターネット上で一元管理することによって、購入時のみならず、売却によって手放すまでの商品情報を管理し、電子商取引サイトの利益よりも、顧客自身の利益を優先的に増大させる手法を発明した。
【０００８】
本発明は、売買の取引履歴をインターネット上で一元管理することで、ユーザが商品を手に入れてから手放すまでを、ユーザの資産として管理する資産管理サーバ、資産管理方法、及び、資産管理サーバ用プログラムを提供することを目的とする。
【課題を解決するための手段】
【０００９】
本発明では、以下のような解決手段を提供する。
【００１０】
第１の特徴に係る発明は、資産データベースを備え、対象となるユーザの資産管理を行う資産管理サーバであって、
前記ユーザが入力を行ったユーザ端末から、前記ユーザによる商品購入の手続き時に入力を受け付けた商品の購入情報を取得して、当該購入した商品を前記ユーザの資産として資産データベースに登録する購入商品登録手段と、
前記購入商品登録手段によって登録された商品を、所定のサーバに登録し、インターネットを通じて他人に売却可能な状態におく商品出品手段と、
前記商品出品手段によって登録された商品について、前記所定のサーバから売却通知を受信し、当該商品を資産データベースから削除する売却商品削除手段と、
を備える資産管理サーバを提供する。
【００１１】
第１の特徴に係る発明によれば、資産データベースを備え、対象となるユーザの資産管理を行う資産管理サーバは、前記ユーザが入力を行ったユーザ端末から、前記ユーザによる商品購入の手続き時に入力を受け付けた商品の購入情報を取得して、当該購入した商品を前記ユーザの資産として資産データベースに登録し、登録された商品を、所定のサーバに登録し、インターネットを通じて他人に売却可能な状態におき、前記所定のサーバから売却通知を受信し、当該商品を資産データベースから削除する。
【００１２】
第２の特徴に係る発明は、前記購入商品登録手段によって登録された日付と、登録された前記商品の商品情報とから、前記ユーザの当該商品に対する売却推奨度を算出する売却推奨度算出手段と、
前記売却推奨度算出手段によって算出された売却推奨度が所定の値を超えている商品について、売却を推奨する旨の表示を行う売却推奨手段と、
を備える第１の特徴に係る発明である資産管理サーバを提供する。
【００１３】
第２の特徴に係る発明によれば、第１の特徴に係る発明である資産管理サーバは、商品が資産として登録された日付と、商品情報とから、ユーザの当該商品に対する売却推奨度を算出し、算出された売却推奨度が所定の値を超えている商品について、売却を推奨する旨の表示を行う。
第３の特徴に係る発明は、前記売却推奨度算出手段が、前記登録された商品の購入からの年数を参照し、減価償却が終わったか否かに基づいて、当該商品に対する売却推奨度を算出する資産管理サーバを提供する。
第３の特徴に係る発明によれば、第２の特徴に係る発明である資産管理サーバは、前記登録された商品の購入からの年数を参照し、減価償却が終わったか否かに基づいて、当該商品に対する売却推奨度を算出する。
第４の特徴に係る発明は、前記ユーザが二以上であって、
前記購入商品登録手段によって異なるユーザの資産として登録されている商品について、前記ユーザの購入推奨度を算出する購入推奨度算出手段と、
前記購入推奨度算出手段によって算出された購入推奨度が所定の値を超えている商品について、前記ユーザと当該他のユーザに対して、取引を提案する旨の表示を行う取引提案手段と、
を備える第１乃至第３のいずれかの特徴に係る発明である資産管理サーバを提供する。
【００１４】
第４の特徴に係る発明によれば、第１乃至第３のいずれかの特徴に係る発明である資産管理サーバは、異なるユーザの資産である商品について、ユーザの当該商品に対する購入推奨度を算出し、算出された購入推奨度が所定の値を超えている商品について、前記ユーザと当該他のユーザに対して、取引を提案する旨の表示を行う。
【００１５】
これら上記の発明は、資産管理サーバのカテゴリであるが、方法、プログラムのカテゴリであっても、そのカテゴリに応じた同様の作用、効果を奏する。
【００１６】
第５の特徴に係る発明は、資産データベースを備え、対象となるユーザの資産管理を行う資産管理サーバが行う資産管理方法であって、
前記ユーザが入力を行ったユーザ端末から、前記ユーザによる商品購入の手続き時に入力を受け付けた商品の購入情報を取得して、当該購入した商品を前記ユーザの資産として資産データベースに登録するステップと、
前記資産データベースに登録された商品を、所定のサーバに登録し、インターネットを通じて他人に売却可能な状態におくステップと、
前記所定のサーバに登録された商品について、前記所定のサーバから売却通知を受信し、当該商品を資産データベースから削除するステップと、
を備える資産管理方法を提供する。
【００１７】
第６の特徴に係る発明は、資産データベースを備え、対象となるユーザの資産管理を行う資産管理サーバに、
前記ユーザが入力を行ったユーザ端末から、前記ユーザによる商品購入の手続き時に入力を受け付けた商品の購入情報を取得して、当該購入した商品を前記ユーザの資産として資産データベースに登録するステップ、
前記資産データベースに登録された商品を、所定のサーバに登録し、インターネットを通じて他人に売却可能な状態におくステップ、
前記所定のサーバに登録された商品について、前記所定のサーバから売却通知を受信し、当該商品を資産データベースから削除するステップ、
を実行させるための資産管理サーバ用プログラムを提供する。
【発明の効果】
【００１８】
本発明によれば、売買の取引履歴をインターネット上で一元管理することで、ユーザが商品を手に入れてから手放すまでを、ユーザの資産として管理する資産管理サーバ、資産管理方法、及び、資産管理サーバ用プログラムを提供することが可能となる。
【図面の簡単な説明】
【００１９】
【図１】図１は、資産管理システム１の概要を説明するための概念図である。
【図２】図２は、資産管理システム１の全体構成図である
【図３】図３は、ユーザ利用端末１０、資産管理サーバ１００、オンラインショップサーバ２００、商品売却サーバ３００の機能ブロック図である。
【図４】図４は、ユーザ利用端末１０、資産管理サーバ１００、オンラインショップサーバ２００が実行する、購入商品の資産登録処理の手順を示すフローチャートである。
【図５】図５は、ユーザ利用端末１０、資産管理サーバ１００、商品売却サーバ３００が実行する、商品の売却処理の手順を示すフローチャートである。
【図６】図６は、二つのユーザ利用端末１０と資産管理サーバ１００が実行する、ユーザ間の資産取引処理の手順を表したフローチャートである。
【図７】図７は、ユーザ利用端末１０のメッセージ表示モジュール１８が表示する売却推奨画面の一例である。
【図８】図８は、ユーザ利用端末１０のメッセージ表示モジュール１８が表示する購入推奨メッセージ、及び、資産購入申し込みの表示画面の一例である。
【図９】図９は、資産データベース１５０内の資産情報テーブルの一例を示したものである。
【図１０】図１０は、取引履歴データベース１５１内の取引履歴テーブルの一例を示したものである。
【発明を実施するための形態】
【００２０】
以下、本発明を実施するための最良の形態について図を参照しながら説明する。なお、これはあくまでも一例であって、本発明の技術的範囲はこれに限られるものではない。
【００２１】
本発明の概要について説明する。資産管理サーバ１００は、ユーザがユーザ利用端末１０を利用してオンラインショップサーバ２００において購入した商品を、資産データベース１５０に資産として登録する。また、商品の購入日等から商品の売却推奨度を算出し、所定の値を超えたものに関しては売却を推奨する。ユーザが売却を希望した際には、オークション等のサービスを提供する商品売却サーバ３００に商品を出品し、売却完了時に資産データベース１５０から当該商品を削除する。
【００２２】
[資産管理システムの概要］
図１に基づいて、本発明の好適な実施形態である資産管理システム１の概要について説明する。資産管理システム１は、ユーザ利用端末１０、資産管理サーバ１００、オンラインショップサーバ２００、商品売却サーバ３００から構成される。なお、これらのサーバは、資産管理サーバ１００によってシステムとして結び付けられていればよく、同一の管理者によって管理されることを必要としない。
【００２３】
初めに、ユーザは、ユーザ利用端末１０を用いて、オンラインショップサーバ２００と通信を行い、オンラインショップサーバ２００から商品を購入する（ステップＳ０１）。オンラインショップサーバ２００は、インターネットを介して商品の購入を可能とする、いわゆるオンラインショッピングサービスを提供するサーバである。
【００２４】
次に、資産管理サーバ１００は、オンラインショップサーバ２００から購入情報を取得する（ステップＳ０２）。購入情報には主として、どのユーザが、いつ、どのサイトで、何を、いくらで購入したかという情報が含まれる。購入情報を取得した資産管理サーバ１００は、資産管理サーバ１００が備える資産データベース１５０に、購入された商品を、購入したユーザの資産として登録する（ステップＳ０３）。
【００２５】
しかしながら、購入情報をオンラインショップサーバ２００の備える機能によって取得することは、主として二つの理由から困難である場合が多い。一つには、購入情報はユーザの個人情報に関わるためである。もう一つは、当該購入情報の蓄積自体が、オンラインショップサーバ２００の競争優位性に結びつくためである。オンラインショップサーバ２００は、購入情報を統計的に処理し、協調フィルタリング等の手法を用いてユーザに商品の推薦を行うことで利益を改善することができる。推薦精度は元データたる購入情報の数が多いほど高くなるので、オンラインショップサーバ２００が他者に購入情報を渡すことは、自らの競争優位性を損なう結果に結びつく恐れがある。
【００２６】
以上の理由により、オンラインショップサーバ２００から直接購入情報を取得できない場合は、資産管理サーバ１００はユーザ利用端末１０から、ユーザ利用端末１０が入力を受け付けた購入情報を受信してもよい。
【００２７】
次に、資産管理サーバ１００は、資産として登録された商品について、売却推奨度を算出する。売却推奨度とは、ユーザが資産たる商品についてどれくらい売却を行うべきかを数値化したものであって、主として市場における人気によって増大するほか、購入からの年数を参照して、減価償却が終わった等、ユーザ自身の不要度を総合的に判断することによって算出される。
【００２８】
資産管理サーバ１００は、売却推奨度が所定の値を超えた資産について、ユーザ利用端末１０に対して売却を推奨する旨の表示を行う（ステップＳ０４）。ユーザは当該表示を見て、または自発的に、売却を希望する場合、ユーザ利用端末１０に商品売却要求を入力する。ユーザ利用端末１０はユーザから入力を受け付けた商品売却要求を、資産管理サーバ１００に送信し、資産管理サーバ１００は当該商品売却要求を受信する（ステップＳ０５）。
【００２９】
商品売却要求を受信した資産管理サーバ１００は、商品売却サーバ３００に商品を出品し、売却可能な状態におく（ステップＳ０６）。商品売却サーバ３００が提供するのは、オークション等の個人間で電子商取引ができるサービスであっても構わないし、企業に買い取りを依頼するフォーム等でもよく、ユーザが資産たる商品を売却可能であればよい。
【００３０】
資産管理サーバ１００によって売却可能な状態におかれた商品の売却が完了した場合、
資産管理サーバ１００は商品売却サーバ３００から売却完了通知を受信する（ステップＳ０７）。そして、資産管理サーバ１００は、資産として登録されていた当該商品を資産データベース１５０から削除する（ステップＳ０８）。
【００３１】
なお、資産管理サーバ１００は所定のタイミングで、資産管理サーバ１００が資産を管理している個々のユーザに対して、資産管理サーバ１００に登録されている全商品に関する購入推奨度を、当該資産の持ち主を問わず算出してもよい。本実施例においては、購入推奨度は主として取引履歴に基づく協調フィルタリングにより算出されるが、推薦手法であればそれに限られない。あるユーザの資産に対する、他のユーザの購入推奨度が所定の値を超えている場合、資産管理サーバ１００は両ユーザに、ユーザ間における資産の取引を提案してもよい。
【００３２】
以上が、本発明の好適な実施形態である資産管理システム１の概要である。
【００３３】
［資産管理システム１のシステム構成］
図２は、資産管理システム１のシステム構成を示す。資産管理システム１は、インターネット網などの公衆回線網３と、ユーザ利用端末１０と、資産管理サーバ１００と、オンラインショップサーバ２００と、商品売却サーバ３００から構成される。資産管理サーバ１００は、公衆回線網３を介して、ユーザ利用端末１０、オンラインショップサーバ２００、商品売却サーバ３００と通信可能に接続されている。
【００３４】
ここで、ユーザ利用端末１０は、公衆回線網を介して取得した情報を表示し、ユーザから入力を受け付ける一般的な情報端末であってよく、後述する機能を備える情報機器や電化製品である。例えば、ユーザ利用端末１０は、パソコンのみならず、携帯電話、スマートフォン、スレート端末、ネットブック端末、電子書籍端末、電子辞書端末、携帯型音楽プレーヤ、携帯型コンテンツ再生・録画プレーヤ等の一般的な情報家電であってよい。
【００３５】
資産管理サーバ１００は、後述の資産管理機能を備える一般的なサーバである。また、オンラインショップサーバ２００、商品売却サーバ３００はそれぞれ電子商取引機能を備える、一般的なサーバであってよい。
【００３６】
［各機能の説明］
図３に基づいて、各装置の構成について説明する。資産管理サーバ１００は、制御部１０１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１０２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。加えて、資産管理サーバ１００は、データやファイルを記憶する記憶部１０３として、ハードディスクや半導体メモリ、記録媒体、メモリカード等による、データのストレージ部を備える。記憶部１０３は、資産データベース１５０と、取引履歴データベース１５１を備える。
【００３７】
資産管理サーバ１００において、制御部１０１が所定のプログラムを読み込むことで、通信部１０２と協働して、購入情報受信モジュール１０４、売却要求受付モジュール１０５、売却完了通知受付モジュール１０６、資産購入申し込み中継モジュール１０７を実現する。また、資産管理サーバ１００において、制御部１０１が所定のプログラムを読み込むことで、記憶部１０３と協働して、資産登録モジュール１０８、売却推奨度算出モジュール１０９、購入推奨度算出モジュール１１０、メッセージ送信モジュール１１１、ユーザ間取引モジュール１１２を実現する。
【００３８】
オンラインショップサーバ２００は、資産管理サーバ１００と同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。
【００３９】
オンラインショップサーバ２００において、制御部２０１が所定のプログラムを読み込むことで、通信部２０２と協働して、購入要求受付モジュール２０３、購入情報送信モジュール２０４を実現する。
【００４０】
また、商品売却サーバ３００も、オンラインショップサーバ２００と同様に、制御部３０１として、ＣＰＵ，ＲＡＭ，ＲＯＭ等を備え、通信部３０２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。
【００４１】
商品売却サーバ３００において、制御部３０１が所定のプログラムを読み込むことで、通信部３０２と協働して、出品受付モジュール３０３、売却完了通知モジュール３０４を実現する。
【００４２】
ユーザ利用端末１０は、資産管理サーバ１００と同様に、制御部１１として、ＣＰＵ，ＲＡＭ，ＲＯＭ等を備え、通信部１２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。また、入出力部１３として、画像や文字のメッセージを表示する液晶モニタ等の表示部と、ユーザからの入力を受付けるキーボードやタッチパネル等の入力部を備える。
【００４３】
ユーザ利用端末１０において、制御部１１が所定のプログラムを読み込むことで、通信部１２と協働して、商品購入モジュール１４、購入情報送信モジュール１５、売却要求送信モジュール１６、資産購入申し込み送信モジュール１７を実現する。また、ユーザ利用端末１０において、制御部１１が所定のプログラムを読み込むことで、通信部１２、及び、入出力部１３と協働して、メッセージ表示モジュール１８を実現する。また、ユーザ利用端末１０において、制御部１１が所定のプログラムを読み込むことで、入出力部１３と協働して、売却要求入力受付モジュール１９、資産購入申し込み入力受付モジュール２０を実現する。
【００４４】
［購入商品の資産登録処理］
図４は、資産管理システム１において、ユーザ利用端末１０、資産管理サーバ１００、オンラインショップサーバ２００が実行する、購入商品の資産登録処理の手順を表したフローチャートである。この購入商品の資産登録処理について説明する。
【００４５】
初めに、資産管理の対象となるユーザは、ユーザ利用端末１０を利用してオンラインショップサーバ２００と通信し、商品を購入する。ユーザ利用端末１０の商品購入モジュール１４は、オンラインショップサーバ２００に商品購入要求を送信する（ステップＳ１１）。オンラインショップサーバ２００の購入要求受付モジュール２０３は、商品購入要求を受け付け、商品購入の手続きを完了する（ステップＳ１２）。
【００４６】
ここで、商品の購入にあたっては、より具体的には、ＨＴＭＬ（ＨｙｐｅｒＴｅｘｔ  Ｍａｒｋｕｐ  Ｌａｎｇｕａｇｅ）等で記述された商品情報をユーザ利用端末１０が備えるブラウジング機能等で解析し、ユーザが商品情報を閲覧するとともに、購入の意思決定をした際には、商品の購入要求を送信する。また、オンラインショップサーバ２００が実行する商品購入の手続きとは、例えば商品代金の決済処理や商品発送センターへの通知等が挙げられる。このようなオンラインショッピングの類型は複数あり、本発明の技術的思想の関する所ではないため、割愛する。
【００４７】
商品購入の手続きを行った後、オンラインショップサーバ２００の購入情報送信モジュール２０４は、資産管理サーバ１００に対して、購入情報を送信する（ステップＳ１３）。資産管理サーバ１００の購入情報受信モジュール１０４は、購入情報を受信する（ステップＳ１５）。また、先述の理由によりオンラインショップサーバ２００が購入情報送信モジュール２０４を備えない時には、ユーザ利用端末１０の購入情報送信モジュール１５が同様の購入情報を資産管理サーバ１００に対して送信してもよい（ステップＳ１４）。
【００４８】
その後、資産管理サーバ１００の資産登録モジュール１０８は、受信した購入情報に基づいて、商品をユーザの資産として資産データベース１５０の資産情報テーブルに記憶させる（ステップＳ１６）。また、資産登録モジュール１０８は、資産管理サーバ１００が備える取引履歴データベース１５１内の取引履歴テーブルに、当該購入に係る情報を記憶させる。
【００４９】
図９は、資産データベース１５０内の資産情報テーブルの一例を示したものである。資産情報テーブルには、資産の持ち主であるユーザのユーザＩＤと、資産名、取得日、資産種類、取得金額からなる商品情報とが関連付けられて記憶されている。
【００５０】
図１０は、取引履歴データベース１５１内の取引履歴テーブルの一例を示したものである。取引履歴テーブルには、管理番号で特定されるそれぞれの資産について購入や売却が行われた時に、取引のあった日付、サイト等の取引場所、取引に係る金額が関連付けられて記憶されている。
【００５１】
以上が、ユーザ利用端末１０、資産管理サーバ１００、オンラインショップサーバ２００が実行する購入商品の資産登録処理の手順である。
【００５２】
［商品の売却処理］
図５は、資産管理システム１において、ユーザ利用端末１０、資産管理サーバ１００、商品売却サーバ３００が実行する、商品の売却処理の手順を表したフローチャートである。この商品の売却処理について説明する。
【００５３】
資産管理サーバ１００の売却推奨度算出モジュール１０９は、所定のタイミングで資産データベース１５０を参照し、ユーザの資産たる商品それぞれについて、売却推奨度を算出する（ステップＳ２１）。
【００５４】
売却推奨度とは、ユーザが資産たる商品についてどれくらい売却を行うべきかを数値化したものであって、主として市場における人気によって増大するほか、購入からの年数を参照して、減価償却が終わった等、ユーザ自身の不要度を総合的に判断することによって算出される。売却推奨度算出モジュール１０９は、資産管理サーバ１００が備える記憶部１０３内に記憶された売却推奨度算出アルゴリズムを用いて、売却推奨度を算出してよい。また、資産管理サーバ１００は、売却推奨度を算出するために、オンラインショップサーバ２００等から商品の売上に関する最新のデータ等を取得してよい。
【００５５】
算出された売却推奨度が所定の値を超えていた場合、売却推奨度算出モジュール１０９は、売却推奨度算出アルゴリズムに基づいて商品の売却を推奨する売却推奨メッセージを生成し、メッセージ送信モジュール１１１は、当該売却推奨メッセージをユーザ利用端末１０に対して送信する（ステップＳ２２：「ＹＥＳ」の場合）。ユーザ利用端末１０のメッセージ表示モジュール１８は、当該メッセージを受信し、ユーザ利用端末１０の入出力部に表示する（ステップＳ２３）。算出された売却推奨度が所定の値を超えない場合、資産管理サーバ１００はその商品について処理を行わない（ステップＳ２２：「ＮＯ」の場合）。
【００５６】
図７は、ユーザ利用端末１０のメッセージ表示モジュール１８が表示する売却推奨画面の一例である。本実施例において、資産データ４０１は資産情報テーブル内におけるユーザＩＤが１０１３１のユーザの資産を表している。表示すべき売却推奨メッセージがあった場合、売却推奨画面において売却推奨メッセージ４０２として表示される。
【００５７】
ここでユーザは、売却推奨メッセージが表示された商品に、売却を希望する商品があった場合、ユーザ利用端末１０を通じて売却要求を行う。図７においては、ユーザは売却ボタン４０３をマウス等で押し下げることによって、商品売却要求を入力する。ユーザ利用端末１０の売却要求入力受付モジュール１９は、ユーザから商品売却要求の入力を受け付け（ステップＳ２４：「ＹＥＳ」の場合）、ユーザ利用端末１０の売却要求送信モジュール１６が、資産管理サーバ１００に商品売却要求を送信する（ステップＳ２５）。なお、ユーザ利用端末１０の売却要求入力受付モジュール１９は、売却推奨メッセージが表示されていない商品についても、同様に商品売却要求の入力を受け付けてもよい。売却を希望する商品が無く、ユーザから商品売却要求の入力が無かった場合には、以下の処理を行わず商品の売却処理を終了する（ステップＳ２４：「ＮＯ」の場合）。
【００５８】
資産管理サーバ１００の売却要求受付モジュール１０５は、商品売却要求を受信する（ステップＳ２６）。そして、売却要求受付モジュール１０５は、商品売却要求に含まれる商品の情報と、資産データベース１５０内の商品情報を基に、予め登録された商品売却サーバ３００に対して商品出品情報を送信する（ステップＳ２７）。商品売却サーバ３００の出品受付モジュール３０３は商品出品情報を受信し、出品手続きを行うことで、当該商品を売却可能な状態におく。
【００５９】
ここで、例えば、商品売却サーバ３００がオンライン上のオークションサービスを提供している場合には、商品出品情報には当該商品の名称、画像、開始価格等が含まれる。また、商品売却サーバ３００がオンライン上の個人商店サービスを提供する場合には、当該商品の名称、画像、価格、在庫数等が含まれる。ここで、ユーザ利用端末１０は、商品の売却における価格に係る情報の入力をユーザから受付け、商品売却要求に含めてもよい。
【００６０】
この処理は、当該商品に買い手が付き、売却が完了されるまで、待ち状態となる（ステップＳ２９：「ＮＯ」の場合）。オークション等の場合には、この待ち状態が数日に渡る場合もある。当該商品の売却が完了された時（ステップＳ２９：「ＹＥＳ」）、商品売却サーバ３００の売却完了通知モジュール３０４は、資産管理サーバ１００に対して売却完了通知を送信する（ステップＳ３０）。資産管理サーバ１００の売却完了通知受付モジュール１０６は売却完了通知を受信し（ステップＳ３１）、資産登録モジュール１０８は当該商品を資産データベース１５０から削除する（ステップＳ３２）。資産登録モジュール１０８は、削除と同時に、資産管理サーバ１００が備える取引履歴データベース１５１内の取引履歴テーブルに、当該売却に係る情報を記憶させる。
【００６１】
以上が、ユーザ利用端末１０、資産管理サーバ１００、商品売却サーバ３００が実行する、商品の売却処理の手順である。
【００６２】
［ユーザ間の資産取引処理］
図６は、資産管理システム１において、二つのユーザ利用端末１０と資産管理サーバ１００が実行する、ユーザ間の資産取引処理の手順を表したフローチャートである。このユーザ間の資産取引処理について説明する。今、便宜的に二つのユーザ利用端末１０をユーザ利用端末１０Ａ、及び、ユーザ利用端末１０Ｂとして区別する。
【００６３】
まず、資産管理サーバ１００の購入推奨度算出モジュール１１０は、所定のタイミングで、個々のユーザに対して、他のユーザの資産に対する購入推奨度を算出する（ステップＳ５１）。
【００６４】
購入推奨度とは、あるユーザが当該商品をどれくらい購入すべきかを数値化したものである。購入推奨度算出モジュール１１０は、資産管理サーバ１００が備える記憶部１０３内に記憶された購入推奨度算出アルゴリズムを用いて、購入推奨度を算出してよい。当該アルゴリズムの一例としては、取引履歴データベース１５１内の取引履歴テーブルに基づいた協調フィルタリングが挙げられるが、推薦手法であればそれに限られない。ここで、以下の処理では、ユーザ利用端末１０Ａを利用するユーザの資産に対して、ユーザ利用端末１０Ｂを利用するユーザの購入推奨度を算出した場合について説明する。
【００６５】
購入推奨度を算出した結果、購入推奨度が所定の値を上回る資産があった場合（ステップＳ５２：「ＹＥＳ」の場合）、購入推奨度算出モジュール１１０は購入推奨度算出アルゴリズムを用いて購入推奨メッセージを生成し、メッセージ送信モジュール１１１は、ユーザ利用端末１０Ｂに対して購入推奨メッセージを送信する（ステップＳ５３）。ユーザ利用端末１０Ｂのメッセージ表示モジュール１８は、当該メッセージを受信し、ユーザ利用端末１０Ｂの入出力部に表示する（ステップＳ５４）。なお、購入推奨度が所定の値を上回る資産がなかった場合（ステップＳ５２：「ＮＯ」の場合）、以下の処理は行われず、ユーザ間の資産取引処理は終了する。
【００６６】
表示された購入推奨メッセージを見たユーザが、いずれかの資産の購入を希望する場合、ユーザ利用端末１０Ｂの資産購入申し込み入力受付モジュール２０は、ユーザからの資産購入申し込みの入力を受け付け（ステップＳ５５：「ＹＥＳ」の場合）、資産購入申し込み送信モジュール１７は、当該資産購入申し込みを資産管理サーバ１００に送信する（ステップＳ５６）。資産購入申し込みの入力が無い場合（ステップＳ５５：「ＮＯ」の場合）、以下の処理は行われず、ユーザ間の資産取引処理は終了する。
【００６７】
資産管理サーバ１００の資産購入申し込み中継モジュール１０７は、受信した資産購入申し込みをユーザ利用端末１０Ａに送信する（ステップＳ５７）。ユーザ利用端末１０Ａのメッセージ表示モジュール１８は、資産購入申し込みを受信し、メッセージとしてユーザ利用端末１０Ａの入出力部に表示する（ステップＳ５８）。
【００６８】
表示された資産購入申し込みを見たユーザが、当該資産の売却を希望する場合、ユーザ利用端末１０Ａの売却要求入力受付モジュール１９は、ユーザから商品売却要求の入力を受け付け（ステップＳ５９：「ＹＥＳ」の場合）、売却要求送信モジュール１６は、資産管理サーバ１００に商品売却要求を送信する。商品売却要求の入力が無い場合（ステップＳ５９：「ＮＯ」の場合）、以下の処理は行われず、ユーザ間の資産取引処理は終了する。
【００６９】
資産管理サーバ１００の売却要求受付モジュール１０５は、商品売却要求を受信し、ユーザ間取引モジュール１１２は、ユーザ間での資産取引の手続きを行う（ステップＳ６０）。当該手続きとして、資産登録モジュール１０８は、資産データベース１５０に対して当該資産の持ち主のユーザＩＤを変更し、取引履歴データベース１５１に対して、当該取引に係る情報を記憶する。また、同様に当該手続きの一部として、商品代金の決済手続きや、ユーザ利用端末１０Ａに対して商品発送の案内等を送信してよい。
【００７０】
図８は、ユーザ利用端末１０のメッセージ表示モジュール１８が表示する購入推奨メッセージ、及び、資産購入申し込みの表示画面の一例である。画面上部において、購入推奨度が所定の値を超えた資産の情報４１１が表示され、ユーザはマウス等で購入申し込みボタン４１２を押し下げることで、資産購入申し込みを入力する。一方、画面下部においては他人から資産購入申し込みがあった資産について、商品情報４１３と、メッセージ４１４を表示する。ユーザは売却ボタン４１５をマウス等で押し下げることによって、商品売却要求を入力する。
【００７１】
以上が、二つのユーザ利用端末１０と資産管理サーバ１００が実行する、ユーザ間の資産取引処理の手順である。
【００７２】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７４】
１  資産管理システム、１０  ユーザ利用端末、１００  資産管理サーバ、１５０  資産データベース、２００  オンラインショップサーバ、３００  商品売却サーバ
【図１】
0006027780.tif 000002
【図２】
0006027780.tif 000003
【図３】
0006027780.tif 000004
【図４】
0006027780.tif 000005
【図５】
0006027780.tif 000006
【図６】
0006027780.tif 000007
【図７】
0006027780.tif 000008
【図８】
0006027780.tif 000009
【図９】
0006027780.tif 000010
【図１０】
0006027780.tif 000011